(57)【要約】【課題】ＬＣＤを用いた会員管理、広報および祝福祈願システムとその制御方法を提供すること。【解決手段】文字およびイメージの出力が可能な多数のＬＣＤを一定サイズのバックボードに形成し、前記バックボードの上部には特定の団体を示す象徴物を形成してなる広報象徴物と、インターネット、文字メッセージの無線通信を介して、ＬＣＤに表示すべき人的情報およびイメージファイルをユーザから受信し、その受信した人的情報およびイメージファイルを、多数のＬＣＤの中から選択された特定のＬＣＤに出力する制御手段と、前記制御手段によってＬＣＤに出力された文字およびイメージをそれぞれのＬＣＤに対応させて格納するデータベースとを含んでなる、ＬＣＤを用いた会員管理、広報および祝福祈願システムを提供する。【選択図】図１
2008198177.tif 000002
【特許請求の範囲】
【請求項１】
文字およびイメージの出力が可能な多数のＬＣＤ（４）を一定サイズのバックボード（５）に形成し、前記バックボード（５）の上部には特定の団体を示す象徴物（６）を形成してなる広報象徴物（３）と、
インターネット、文字メッセージの無線通信を介して、ＬＣＤ（４）に表示すべき人的情報およびイメージファイルをユーザから受信し、その受信した人的情報およびイメージファイルを、多数のＬＣＤ（４）の中から選択された特定のＬＣＤ（４）に出力する制御手段（１）と、
前記制御手段（１）によってＬＣＤ（４）に出力された文字およびイメージをそれぞれのＬＣＤ（４）に対応させて格納するデータベース（２）とを含んでなることを特徴とする、ＬＣＤを用いた会員管理、広報および祝福祈願システム。
【請求項２】
宗教信者が自分の人的事項および写真イメージを有無線インターネットまたは文字メッセージを介して制御手段（１）に登録する第１過程と、
制御手段（１）が、宗教信者から伝送された人的事項および写真イメージ情報を出力する広報象徴物（３）のＬＣＤ（４）の位置を設定する第２過程と、
前記第２過程で設定された位置のＬＣＤ（４）に宗教信者からの人的事項および写真イメージを出力するとともに、当該情報をデータベース（２）に格納する第３過程とを含んでなることを特徴とする、ＬＣＤを用いた会員管理および広報方法。
【請求項３】
スポーツクラブで実施した競技が終了すると、各会員の競技結果を収集する第１段階と、
収集された情報から成績優秀者を選別する第２段階と、
成績優秀者の親筆サインおよび写真を入手する第３段階と、
入手した親筆サインと写真をイメージファイルに変換させる第４段階と、
成績優秀者の成績優秀内容とイメージファイルをバックボード（５）の特定のＬＣＤ（４）を介して出力するとともに、出力内容をデータベース（２）に格納する第５段階とを含んでなることを特徴とする、ＬＣＤを用いた会員管理および広報方法。
【発明の詳細な説明】
【技術分野】
【０００１】
本発明は、ＬＣＤを用いた会員管理、広報および祝福祈願システムとその制御方法に係り、特に、寺、教会、聖堂などにおいて仏、イエス、聖母マリアなどに自分または家族の安寧などを祈願するために名前を登載するとき、本発明で提供される広報象徴物のＬＣＤに名前および写真イメージを表示することにより、情報の管理と表示事項の再配置および削除が容易であり、例えばスポーツセンター、飲食店、学校、銀行などで使用する場合には顧客管理が非常に容易であり、特定の開示広報内容が実時間にて画面出力できて優れた広報効果を有するうえ、顧客の満足度をさらに一層向上させることを可能とした、ＬＣＤを用いた会員管理、広報および祝福祈願システムとその制御方法に関する。
【背景技術】
【０００２】
現在、韓国の寺では、「引灯台」というものがよく見られる。この「引灯台」とは、仏の形状または油壺の形状をした陶器からなり、一年中、仏様の功徳に感化して良い所に導かれたい信者の要請によって所定の名前を記載して壇上に配列しておく「引灯」からなるものである。
ところが、引灯台の場合、信者が要請する度に一々手作業で名前を修正、削除しなければならないので、作業が非常に煩わしいうえ、誰が何時から引灯を行っているかを容易に把握することができないという問題点がある。
【０００３】
一方、寺だけでなく、教会または聖堂においても、神様の十字架の下またはイエス像と聖母マリア像の周辺に、祝福されるべき誕生、誕生日、結婚、昇進、合格のための名前を記載したものを置いて祈願しているが、これも一々手作業で処理しなければならないので、使用上煩わしさが加重されるという問題点がある。
【０００４】
この他にも、スポーツセンター、ゴルフクラブ、釣り大会、銀行、飲食店などでは、例えばゴルフ大会の上位入賞者、釣り大会の大物釣師、飲食店に頻繁に往来する優秀顧客、銀行に巨額を預けて置いた優秀顧客などを掲示板などに記載して広報しなければならないが、これも大部分が手作業でなされるものであって、広報内容の削除および変更が容易ではないという問題点がある。
【発明の開示】
【発明が解決しようとする課題】
【０００５】
そこで、本発明は、上述した問題点を解決するためのもので、その目的とするところは、文字およびイメージの出力が可能な多数のＬＣＤを一定サイズのバックボードに形成し、前記バックボードの上部には特定の団体を示す象徴物を形成してなる広報象徴物と、インターネット、文字メッセージの無線通信を介して、ＬＣＤに表示すべき人的情報およびイメージファイルをユーザから受信し、その受信した人的情報およびイメージファイルを多数のＬＣＤから選択された特定のＬＣＤに出力する制御手段と、前記制御手段によってＬＣＤに出力された文字およびイメージをそれぞれのＬＣＤに対応させて格納するデータベースとから構成することにより、寺や教会、聖堂などにおいて仏、イエス、聖母マリアなどに自分または家族の安寧などを祈願するために名前を登載するとき、本発明で提供される広報象徴物のＬＣＤに名前および写真イメージを表示することにより、情報の管理と表示事項の再配置および削除が容易であり、例えばスポーツセンター、飲食店、学校、銀行などで使用する場合には顧客管理が非常に容易であり、特定の開示広報内容が実時間にて画面出力できて優れた広報効果を有するうえ、顧客の満足度をさらに一層向上させることを可能とした、ＬＣＤを用いた会員管理、広報および祝福祈願システムとその制御方法を提供することにある。
【課題を解決するための手段】
【０００６】
上記目的を達成するために、本発明は、文字およびイメージの出力が可能な多数のＬＣＤを一定サイズのバックボードに形成し、前記バックボードの上部には特定の団体を示す象徴物を形成してなる広報象徴物と、インターネット、文字メッセージの無線通信を介して、ＬＣＤに表示すべき人的情報およびイメージファイルをユーザから受信し、その受信した人的情報およびイメージファイルを、多数のＬＣＤの中から選択された特定のＬＣＤに出力する制御手段と、前記制御手段によってＬＣＤに出力された文字およびイメージをそれぞれのＬＣＤに対応させて格納するデータベースとを含んでなる、ＬＣＤを用いた会員管理、広報および祝福祈願システムを提供する。
【発明の効果】
【０００７】
上述したように、本発明は、文字およびイメージの出力が可能な多数のＬＣＤを一定サイズのバックボードに形成し、前記バックボードの上部には特定の団体を示す象徴物を形成してなる広報象徴物と、インターネット、文字メッセージの無線通信を介して、ＬＣＤに表示すべき人的情報およびイメージファイルをユーザから受信し、その受信した人的情報およびイメージファイルを、多数のＬＣＤの中から選択された特定のＬＣＤに出力する制御手段と、前記制御手段によってＬＣＤに出力された文字およびイメージをそれぞれのＬＣＤに対応させて格納するデータベースとから構成することにより、寺や教会、聖堂などにおいて仏、イエス、聖母マリアなどに自分または家族の安寧などを祈願するために名前を登載するとき、本発明で提供される広報象徴物のＬＣＤに名前および写真イメージを表示することにより、情報の管理と表示事項の再配置および削除が容易であり、例えばスポーツセンター、飲食店、学校、銀行などで使用する場合には顧客管理が非常に容易であり、特定の開示広報内容が実時間にて画面出力できて優れた広報効果を有するうえ、顧客の満足度をさらに一層向上させることを可能とした、ＬＣＤを用いた会員管理、広報および祝福祈願システムとその制御方法を提供する効果を期待することができる。
【発明を実施するための最良の形態】
【０００８】
以下、図１〜図１０を参照して本発明の好適な実施例について詳細に説明する。
【０００９】
図１は本発明のＬＣＤを用いた会員管理、広報および祝福祈願システムを示す図である。
【００１０】
本発明のシステムは、図１に示すように、文字およびイメージの出力が可能な多数のＬＣＤ４を一定サイズのバックボード５に形成し、前記バックボード５の上部には特定の団体を示す象徴物６を形成してなる広報象徴物３と、インターネット、文字メッセージの無線通信を介して、ＬＣＤ４に表示すべき人的情報およびイメージファイルをユーザから受信し、受信した人的情報およびイメージファイルを、多数のＬＣＤ４の中から選択された特定のＬＣＤ４に出力する制御手段１と、前記制御手段１によってＬＣＤ４に出力された文字およびイメージをそれぞれのＬＣＤ４に対応させて格納するデータベース２とから構成される。
【００１１】
前記制御手段１は、通常のＰＣを使用してもよく、インターネット通信および文字メッセージの自動受信のための通信装置と文字メッセージ処理装置を内蔵する。
【００１２】
前記データベース２には、バックボード５に設置された多数のＬＣＤ４に対応するレジスタを持っており、制御手段１の制御によってＬＣＤ４に表示されるユーザの人的事項、イメージファイル（写真）などを当該ＬＣＤ４に対応するレジスタに格納する。
【００１３】
次に、このように構成された本発明の動作について説明する。
【００１４】
広報象徴物３は寺、教会、聖堂などに設置され、その宗教に対応してバックボード５の上部に設置される象徴物６は仏像、イエス像、聖母マリア像などで代替可能である。
【００１５】
寺、教会、聖堂などに祈願文を捧げようとするユーザは、インターネット通信が可能なＰＣまたは携帯電話の文字メッセージなどを用いて制御手段１に自分の名前、イメージ（写真ファイル）ファイルを伝送する。
【００１６】
制御手段１は、ユーザから伝送された人的事項およびイメージファイルをユーザ所望の位置のＬＣＤ４に出力し、その出力情報をデータベース２に格納させる。
【００１７】
このような方式で、バックボード５に形成されている多数のＬＣＤ４にそれぞれ異なるユーザ（信者）の名前およびイメージが出力されるので、多くの人々が宗教的祝福を受けることができる。祈願文を捧げたユーザは、広報象徴物３が設置された場所に訪ねたとき、自分の写真および名前から、自分の祈願文が正常的に記載されていることを容易に確認することができる。
【００１８】
一方、前述したような本発明は、ＬＣＤ４に表示される内容の変更、削除および再登録が非常に容易であるという利点を持っている。
【００１９】
すなわち、従来では、祈願文が手作業で処理されるのでその変更および削除が容易でないという問題点があったが、本発明は、制御手段１を用いて、データベース２に格納されている内容を容易に検索した後、その格納内容を変更または削除することにより便利に実現される。
【００２０】
図２および図３は本発明の第１実施例を示すもので、本発明が宗教団体に使用された一例を示す。
【００２１】
本発明の第１実施例は、宗教信者が自分の人的事項および写真イメージを有無線インターネットまたは文字メッセージを介して制御手段１に登録する第１過程と、制御手段１が、宗教信者から伝送された人的事項および写真イメージ情報を出力するＬＣＤ４の位置を設定する第２過程と、前記第２過程で設定された位置のＬＣＤ４に宗教信者からの人的事項および写真イメージを出力するとともに、当該情報をデータベース２に格納する第３過程とから構成される。
【００２２】
このような本発明の第１実施例の具体的な動作は、既に図１の動作説明で具体的に記述されたので、詳細な説明を省略する。
【００２３】
図３は本発明の第１実施例によってバックボード５の特定のＬＣＤ４に宗教信者の名前および写真が出力された状態を示すものであり、このような作動により、宗教信者は宗教的象徴物６が設置された広報象徴物３に自分の名前および写真を載せて宗教的祝福を受けることができる。
【００２４】
図４および図５は本発明の第２実施例を示すもので、スポーツクラブに適用された一例を示す。
【００２５】
本発明の第２実施例は、スポーツクラブで実施した競技が終了すると、各会員の競技結果を収集する第１段階と、収集された情報から成績優秀者を選別する第２段階と、成績優秀者の親筆サインおよび写真を入手する第３段階と、入手した親筆サインと写真をイメージファイルに変換させる第４段階と、成績優秀者の成績優秀内容とイメージファイルをバックボード５の特定のＬＣＤ４を介して出力するとともに、その出力内容をデータベース２に格納させる第５段階とから構成される。
【００２６】
次に、このように構成された本発明の第２実施例の動作について説明する。
【００２７】
ゴルフ、釣りなどのスポーツクラブでゴルフ大会または釣り大会を実施すると、その競技が終了すると同時に、各会員の競技結果を収集して成績優秀者を選別する。
【００２８】
選別された成績優秀者から親筆サインと写真を入手した後、その入手したサインおよび写真をスキャナを用いてイメージファイルに変換させる。
【００２９】
イメージファイルに変換された成績優秀者のサインおよび写真を、バックボード５に設置された多数のＬＣＤ４に成績優秀の順通りに出力し、その出力内容をそれぞれのＬＣＤ４に対応するデータベース２のレジスタに格納する。
【００３０】
前述したようにゴルフ大会または釣り大会が終了したとき、ゴルフ大会の成績優秀者、釣り大会の優勝者の親筆サインおよび写真などが広報象徴物３のＬＣＤ４を介して表示されることにより、スポーツクラブ会員は誰の成績が優秀であるかを確認することができ、成績優秀者は自分の名前、サインおよび写真がＬＣＤ４に出力されることにより満足感を感じることができる。
【００３１】
このような効果により、ゴルフクラブ、釣りクラブなどの広報効果を向上させるとともに、大きな広告効果を図ることができる。
【００３２】
図６は本発明の第３実施例を示すもので、スポーツセンターの組織図として使用される一例を示す。
【００３３】
図６を参照すると、バックボード５に設置された多数のＬＣＤ４にスポーツセンターの組織図（会長、副会長、総務、会員など）が出力されるが、各役員および会員の名前と写真イメージがＬＣＤ４を介して出力されることにより、それぞれの会員が役員および同僚会員を容易に把握することができるうえ、スポーツセンターの出入り管理が容易になり、会員相互間に顔を確認することができるという効果を期待することができる。
【００３４】
図７は本発明の第４実施例を示すもので、学校または学院の学生の席配置に本発明が使用された一例を示す。
【００３５】
この際、バックボード５に設置される多数のＬＣＤ４を教室内の机配置と同一にすることが好ましく、それぞれのＬＣＤ４には学生の名前、受験番号、写真などが出力されるようにする。
【００３６】
このような本発明の第４実施例によれば、学力考試などの試験の際に机と同一の配列でＬＣＤ４がバックボード５に配置され、それぞれのＬＣＤ４にその席の学生名前、受験番号、写真などが鮮明に出力されることにより、監督が容易になるうえ、代理試験を前もって防止することができる。
【００３７】
図８は本発明の第５実施例を示すもので、本発明を飲食店の広報板として使用した一例を示す。
【００３８】
バックボード５に設置された多数のＬＣＤ４を、優秀顧客、タレント、著名人士などを表示するための領域に割り当て、優秀顧客パートには飲食店に頻繁に寄る常得意の名前と写真などをＬＣＤ４に表示し、常得意の満足度を向上させてより頻繁に飲食店に往来するように誘導し、タレントパートには飲食店に寄ったタレントのサインおよび写真などをＬＣＤ４に表示して広報効果を極大化し、著名人士パートには政治人、小説家、スポーツマンなどの各界各層の著名人士が飲食店を訪問したことを広報し、一般消費者が信じて飲食店を訪ねることができるように広報することができる。
【００３９】
図９は本発明の第６実施例を示す。本発明の第６実施例によれば、バックボード５に設置された多数のＬＣＤ４に優秀顧客の名前（個人、会社）、写真などを出力して、優秀顧客が銀行に往来したときに満足感を感じることができるようにし、会社の場合、広報象徴物３のＬＣＤ４を介して会社名が出力されることにより、間接的な広報効果を期待することができる。
【００４０】
また、常得意を誘致することにより、銀行は実利を得ることができ、顧客との対話を行うことにより、親和的な相互関係を維持することができる。
【００４１】
一方、図１０は本発明の広報象徴物３に設置される象徴物６の一例を示すもので、下部から上部に行くほど段階的に直径が減少する柱１０を複層に形成し、前記柱１０の縁部に飲料または酒瓶１１を逆立ちにして環状に配置し、柱１０の最上端には特定の象徴物１２を形成したものである。
【００４２】
このような象徴物６の形状または模様は必要に応じて可変することを明らかにしておく。
【００４３】
前述した本発明の実施例の他にも、宗教的祈願（念願）をする諸般システムを含む。
【００４４】
すなわち、象徴物の上に仏像／イエス像などを搭載し、ＬＣＤに登載されている人々が動画像を介してお祈りをし、その所望が成し遂げられるように仏／イエス様などが祝福を下さる意味を持つ諸般事項を含む。
【図面の簡単な説明】
【００４５】
【図１】本発明のＬＣＤを用いた会員管理、広報および祝福祈願システムを示す図である。
【図２】本発明の第１実施例の制御過程を示すフローチャートである。
【図３】本発明の第１実施例によって広報象徴物に宗教信者のメッセージが出力された状態を示す図である。
【図４】本発明の第２実施例の制御過程を示すフローチャートである。
【図５】本発明の第２実施例によって広報象徴物のＬＣＤに成績優秀者のプロフィルが表示された状態を示す図である。
【図６】本発明の第３実施例として、広報象徴物にスポーツセンターの組織図が表示された状態を示す図である。
【図７】本発明の第４実施例として、広報象徴物に学院および学校の席配置現況が表示された状態を示す図である。
【図８】本発明の第５実施例として、広報象徴物に飲食店の優秀顧客、タレント、および著名人士訪問客の人的事項が表示された状態を示す図である。
【図９】本発明の第６実施例として、広報象徴物に銀行の優秀顧客が広報された状態を示す図である。
【図１０】本発明の広報象徴物に適用可能な象徴物の一例を示す図である。
【符号の説明】
【００４６】
１    制御手段
２    データベース
３    広報象徴物
４    ＬＣＤ
５    バックボード
６    象徴物
１０    柱
１１    酒瓶
１２    特定の象徴物  
【図１】
2008198177.tif 000003
【図２】
2008198177.tif 000004
【図３】
2008198177.tif 000005
【図４】
2008198177.tif 000006
【図５】
2008198177.tif 000007
【図６】
2008198177.tif 000008
【図７】
2008198177.tif 000009
【図８】
2008198177.tif 000010
【図９】
2008198177.tif 000011
【図１０】
2008198177.tif 000012